(57)【要約】【課題】部品点数を削減して防水が確保されたタッチパネルを有した携帯機器を課題とする。【解決手段】本実施例の携帯機器１は、底壁部７２、底壁部７２上に設けられた枠状の周壁部４４、を含む第１ケース４０及び第２ケース７０、と、周壁部４４に接着された接着部、第１ケース４０、第２ケース７０に包囲され接着部よりも内側に位置した接点部３７、を含む感圧式のタッチパネル３０と、接点部３７を介してタッチパネル３０に電気的に接続された制御基板６０と、を備えている。【選択図】図２
2011107989.tif 000002
【特許請求の範囲】
【請求項１】
底壁部、前記底壁部上に設けられた枠状の周壁部、を含むケースと、
前記周壁部に接着された接着部、前記ケースに包囲され前記接着部よりも内側に位置した接点部、を含む感圧式のタッチパネルと、
前記接点部を介して前記タッチパネルに電気的に接続された制御基板と、
を備えた携帯機器。
【請求項２】
前記タッチパネルは、離間しつつ対向配置された第１、第２導電性膜を含み、
前記第２導電性膜は、前記第１導電性膜が部分的に露出した切欠部を含み、
前記接点部は、前記切欠部から露出した前記第１導電性膜の部分に設けられている、請求項１の携帯機器。
【請求項３】
前記タッチパネルは、離間しつつ対向配置された第１、第２導電性膜を含み、
前記第１、第２導電性膜は、切欠部を含み、
前記制御基板は、前記接点部と接続し前記切欠部から引き出されたフレキシブル基板と接続している、請求項１の携帯機器。
【請求項４】
前記第１、第２導電性膜は、それぞれ一対の電極部を含み、
前記接点部は、前記電極部のそれぞれと導通した複数の接点部を含む、請求項２又は３の携帯機器。
【請求項５】
前記接着部は、前記タッチパネルの背面側に位置する、請求項１の携帯機器。
【発明の詳細な説明】
【技術分野】
【０００１】
本発明は携帯機器に関する。特に、抵抗膜式のタッチパネルを備えた携帯機器に関する。
【背景技術】
【０００２】
抵抗膜式のタッチパネルを備えた携帯機器がある。タッチパネルは、外部装置との電気的接続を確保するための接点部を有している。
【先行技術文献】
【特許文献】
【０００３】
【特許文献１】特開２００９−３８７９６号公報
【特許文献２】特開２００８−１８１３６６号公報
【特許文献３】特開平９−１１５３７８号公報
【発明の概要】
【発明が解決しようとする課題】
【０００４】
このような接点部は、タッチパネルの縁側に設けられている。例えば、タッチパネルにフレキシブル基板を接続する場合、フレキシブル基板はタッチパネルの縁から引き出される。このようなフレキシブル基板は、一端はタッチパネル側に接続されるが、他端はケース内に配置された制御基板に接続される。フキレシブル基板をケース内に引き回す際には、フレキシブル基板とケースとの間に防水構造が設けられる。フレキシブル基板とケースとの間から水が浸入するのを防ぐためである。しかしながら、このような防水構造を設けると携帯機器の部品点数が増える。
【０００５】
本発明は、部品点数を削減して防水が確保されたタッチパネルを有した携帯機器を提供することを目的とする。
【課題を解決するための手段】
【０００６】
本明細書に開示の携帯機器は、底壁部、前記底壁部上に設けられた枠状の周壁部、を含むケースと、前記周壁部に接着された接着部、前記ケースに包囲され前記接着部よりも内側に位置した接点部、を含む感圧式のタッチパネルと、前記接点部を介して前記タッチパネルに電気的に接続された制御基板と、を備えている。
【発明の効果】
【０００７】
部品点数を削減して防水が確保されたタッチパネルを有した携帯機器を提供できる。
【図面の簡単な説明】
【０００８】
【図１】図１Ａは、本実施例の携帯電話１の説明図、図１Ｂは、表示部の分解斜視図。
【図２】図２は、表示部の断面図。
【図３】図３は、タッチパネルの構造の説明図。
【図４】図４は、タッチパネル３０の背面図。
【図５】図５Ａ、５Ｂは、本実施例の携帯電話の表示部とは異なる構造を有した表示部の説明図。
【図６】図６は、変形例である表示部の説明図。
【発明を実施するための形態】
【０００９】
携帯電話を携帯機器の一例として説明する。
図１Ａは、本実施例の携帯電話１の説明図である。携帯電話１は、本体部１０、表示部２０を有している。本体部１０、表示部２０は、それぞれヒンジ機構により回転可能に連結されている。これにより、本体部１０、表示部２０は開閉可能に連結される。本体部１０には、携帯電話１を操作するための操作キー１５が形成されている。表示部２０には、タッチパネル３０、内部にディスプレイ５０が設けられている。
【００１０】
図１Ｂは、表示部２０の分解斜視図である。表示部２０は、タッチパネル３０、第１ケース４０、ディスプレイ５０、制御基板６０、第２ケース７０等を含む。タッチパネル３０、第１ケース４０、ディスプレイ５０、制御基板６０、第２ケース７０は、表示部２０の正面側から背面側に順に配置されている。タッチパネル３０は、抵抗膜式のタッチパネルである。タッチパネル３０には、フレキシブル基板３９が接続されている。また、タッチパネル３０は、フレキシブル基板３９の周囲に切欠部３０Ｐが形成されている。
【００１１】
第１ケース４０は、略角枠状である。第１ケース４０は、略矩形状の開口部４２を有している。ディスプレイ５０は、操作キー１５又はタッチパネル３０からの操作に応じて所定の画像を表示する。ディスプレイ５０は表示パネルに相当する。制御基板６０は、ディスプレイ５０を実装している。また、制御基板６０の背面側には、フレキシブル基板３９が接続されるコネクタ６８を有している。制御基板６０は、フレキシブル基板３９を介してタッチパネル３０と電気的に接続されている。
【００１２】
制御基板６０には、不図示のＣＰＵ（Central Processing Unit）、ＲＯＭ(Read Only Memory)、ＲＡＭ（Random Access Memory）などが実装されており、タッチパネル３０からの出力に応じてタッチパネル３０へのタッチ位置を検出する機能を有している。制御基板６０は、タッチパネル３０と電気的に接続された電子部品に相当する。
【００１３】
図２は、表示部２０の断面図である。
図２に示すように、タッチパネル３０は、意匠シート３１、第１センサ３２、第２センサ３４、補強板３８を含む。意匠シート３１は、タッチパネル３０の最も正面側に配置されている。意匠シート３１は、可撓性を有しており合成樹脂製である。意匠シート３１は、第１センサ３２の正面側に貼り付けられている。意匠シート３１は、第１センサ３２を保護する機能を有している。意匠シート３１は光透過性を有している。
【００１４】
第１センサ３２、第２センサ３４は、詳しくは後述するが、それぞれ導電性膜を有している。補強板３８は、第２センサ３４の背面側に配置されている。補強板３８は、合成樹脂製である。
【００１５】
第２ケース７０は、底壁部７２、底壁部７２上に形成された周壁部７４、を有している。周壁部７４の上端面に第１ケース４０が接着されている。第１ケース４０は、内側に突出した周壁部４４を有している。第１ケース４０、第２ケース７０は、合成樹脂製である。第１ケース４０、第２ケースは、協働で表示部２０のケースとして機能する。
【００１６】
周壁部４４には、タッチパネル３０が両面テープ９０により接着されている。両面テープ９０は防水性を有している。両面テープ９０は、表示部２０内部への水の浸入を防止する防水部材に相当する。図１Ｂに示すように、両面テープ９０は、タッチパネル３０の背面側の周縁に沿うように貼り付けられている。タッチパネル３０は、開口部４２を塞ぐように第１ケース４０に貼り付けられている。タッチパネル３０の背面側の周縁部が、第１ケース４０に接着されたタッチパネル３０の接着部に相当する。詳細には、補強板３８の背面側の縁部が接着部に相当する。
【００１７】
タッチパネル３０には、切欠部３０Ｐが形成されている。切欠部３０Ｐは、第２センサ３４、補強板３８が部分的に切り欠きられて形成されている。切欠部３０Ｐにより第１センサ３２の背面側が部分的に露出する。この第１センサ３２の露出した部分に、フレキシブル基板３９の一端が接続される接点部３７が設けられている。接点部３７とフレキシブル基板３９とは、ＡＣＦ接続により接続されている。接点部３７は、タッチパネル３０と外部装置との電気的な接続を確保する機能を有している。接点部３７の数などについては後述する。
【００１８】
以上のように、接点部３７は、両面テープ９０よりも内側に位置し、かつタッチパネル３０の背面側に位置する。従って、接点部３７及びフレキシブル基板３９は、第１ケース４０、第２ケース７０に包囲される。これにより、防水が確保されている。また、表示部２０における防水は、単一の両面テープ９０によって確保されている。このため、防水部材の点数が少なくてすみ、表示部２０は部品点数が削減されている。
【００１９】
また、タッチパネル３０の背面側の周縁が第１ケース４０に接着されており、タッチパネル３０の正面側の周縁は、他の部材に覆われていない。このため、タッチパネル３０の正面側の面積を確保することができる。これにより、タッチパネル３０の操作領域を確保することができる。例えば、タッチパネル３０の正面側の周縁を覆う額縁をケースに設けた場合には、タッチパネル３０の操作領域が狭くなる。
【００２０】
図３は、タッチパネル３０の構造の説明図である。図３に示すように、第１センサ３２は、基板３２ａ、基板３２ａの背面側に形成されたＩＴＯ膜（Indium tin oxide膜）３２ｂを含む。第２センサ３４は、基板３４ａ、基板３４ａの正面側に形成されたＩＴＯ膜３４ｂを含む。ＩＴＯ膜３２ｂ、３４ｂは、導電性膜に相当する。
【００２１】
基板３２ａは、フィルム状である。フィルムとしてはポリエステルフィルム、例えばポリエチレンテレフタレート（ＰＥＴ）フィルムである。基板３２ａは、プラスチックシートであってもよい。プラスチックシートとしては、ポリカーボネート、ポリシクロオレフィンまたはアクリル樹脂のシートなどがある。基板３４ａは、ガラス製である。基板３４ａは、フィルム状であってもよいし、プラスチックシートであってもよい。
【００２２】
ＩＴＯ膜３２ｂ、３４ｂは、酸化金属膜の一例であり、酸化亜鉛膜（ＺｎＯ膜）でもよい。ＩＴＯ膜３２ｂは、基板３２ａ上にスパッタリング又はＣＶＤ方式によって形成することができる。
【００２３】
第１センサ３２と第２センサ３４との間には、貼り合わせ部材３６が介在している。貼り合わせ部材３６は、ＩＴＯ膜３２ｂの周縁とＩＴＯ膜３４ｂの周縁との間に介在している。貼り合わせ部材３６は枠状である。貼り合わせ部材３６は、タッチパネル３０の正面側が押圧されていない状態でＩＴＯ膜３２ｂとＩＴＯ膜３４ｂとが接触しないだけのスペースを確保する機能を有している。これにより、ＩＴＯ膜３２ｂ、３４ｂは、離間しつつ対向する。
【００２４】
図４は、タッチパネル３０の背面図である。
図４に示すように、ＩＴＯ膜３２ｂ、３４ｂにはそれぞれ一対の電極が設けられている。ＩＴＯ膜３２ｂには、互いに対向する略平行な電極３３ａ、３３ｂが設けられている。ＩＴＯ膜３４ｂには、互いに対向し略平行な電極３５ａ、３５ｂが設けられている。電極３３ａ、３３ｂと、電極３５ａ、３５ｂとは略直交する。また、接点部３７は、接点部３７ａ〜３７ｄを含む。接点部３７ａ〜３７ｄは、それぞれ、電極３５ａ、３３ｂ、３５ｂ、３３ａに電気的に接続されている。これらの接続は、配線により確保されている。
【００２５】
制御基板６０に実装されたＣＰＵは、例えば、電極３３ａ、３３ｂ間に電圧を印加した状態でタッチパネル３０が押圧されると、ＩＴＯ膜３２ｂ、３４ｂが接触する。この際に、電極３５ａ、３５ｂから電圧値を読み取ることにより、Ｙ方向での押圧位置を検出できる。同様に、電極３５ａ、３５ｂ間に電圧を印加した状態でタッチパネル３０が押圧された際に、電極３３ａ、３３ｂから電圧値を読み取ることにより、Ｘ方向での押圧位置を検出できる。尚、このような押圧位置の検出方法は公知のものである。
【００２６】
次に、本実施例の携帯電話１の表示部２０とは異なる構造を有した表示部２０ｘについて説明する。図５Ａ、５Ｂは、本実施例の携帯電話１の表示部２０とは異なる構造を有した表示部２０ｘの説明図である。図５Ａに示すように、フレキシブル基板３９ｘは、タッチパネル３０ｘの縁から外部に引き出されている。接点部３７ｘは、図５Ａ、５Ｂに示すようにタッチパネル３０ｘの縁に設けられている。図５Ａに示すように、補強板３８ｘの背面側の周縁は、両面テープ９０により第１ケース４０ｘの周壁部４４ｘに貼り付けられている。フレキシブル基板３９ｘは、周壁部４４ｘに設けられた貫通孔４５ｘを通過して、第１ケース４０ｘ及び第２ケース７０ｘ内にまで引き回されている。貫通孔４５ｘは表示部２０ｘの厚み方向に延びている。貫通孔４５ｘとフレキシブル基板３９ｘとの間にはガスケット１００ｘが設けられている。ガスケット１００ｘは、弾性を有している。ガスケット１００ｘは、貫通孔４５ｘとフレキシブル基板３９ｘとの間から水が第１ケース４０ｘ及び第２ケース７０ｘ内に浸入することを防止している。
【００２７】
このように、フレキシブル基板３９ｘがタッチパネル３０の縁から引き出されている。換言すれば、接点部３７ｘがタッチパネル３０の縁に設けられているので、フレキシブル基板３９ｘを表示部２０ｘの内部に引き回すことにより、ガスケット１００ｘを設ける必要がある。従って、表示部２０ｘには、両面テープ９０とガスケット１００ｘとの２つの防水部材が設けられており、部品点数が増大している。
【００２８】
しかしながら、本実施例の携帯電話１においては、図２に示したように、上記のようなガスケット１００ｘを設ける必要がない。従って、フレキシブル基板３９を設けたことに起因して特別な防水部材を新たに設けなくてもよい。このように本実施例の携帯電話１は部品点数が削減される。
【００２９】
また、図５Ａに示すように、ガスケット１００ｘの防水性を担保するためには、表示部２０ｘの厚み方向ＴＤでのガスケット１００ｘの長さを、ある程度確保する必要がある。ガスケット１００ｘが短いと、内部に水が浸入する恐れがあるからである。従って、表示部２０ｘの厚み方向ＴＤの大きさが増す。また、フレキシブル基板３９ｘは、タッチパネル３０の縁から引き回されているので、表示部２０の平面方向ＰＤでの大きさも増す。
【００３０】
しかしながら、本実施例の携帯電話１においては、上記のような防水構造を設ける必要がないため、表示部２０の厚み方向ＴＤの長さを短くすることができる。同様に、平面方向ＰＤの長さを短くすることができる。
【００３１】
また、図５Ａに示すように、接点部３７ｘ周辺、換言すれば、タッチパネル３０ｘとフレキシブル基板３９ｘとの接続箇所周辺は、外部に露出している。このため、例えば、第２センサ３４ｘとフレキシブル基板３９ｘとの間から第１センサ３２ｘと第２センサ３４ｘとの間へ水が浸入する恐れもある。
【００３２】
しかしながら、本実施例の携帯電話１においては、図２に示したように、フレキシブル基板３９及び接点部３７が、第１ケース４０及び第２ケース７０に包囲されているので、これらの防水が図られている。
【００３３】
次に表示部の変形例について説明する。
図６は、変形例である表示部２０ｍの説明図である。
切欠部３０Ｐｍは、第１センサ３２ｍ、３４ｍ、補強板３８ｍが切り欠きられて形成されている。切欠部３０Ｐｍは、スリット状である。また、接点部３７ｍは、ＩＴＯ膜３４ｂ内に形成されている。フレキシブル基板３９ｍは、タッチパネル３０ｍから切欠部３０Ｐｍを介して引き回され、コネクタ６８に接続されている。このように、接点部３７ｍが露出していなくてもよい。尚、表示部２０ｍは、単一のケース７０ｍを有している。ケース７０ｍは、その開口部の周縁に枠状の周壁部７４ｍが形成されている。周壁部７４ｍの上端面に両面テープ９０によりタッチパネル３０ｍが貼り付けられている。
【００３４】
以上本発明の好ましい一実施形態について詳述したが、本発明は係る特定の実施形態に限定されるものではなく、特許請求の範囲に記載された本発明の要旨の範囲内において、種々の変形・変更が可能である。
【００３５】
携帯機器は、携帯電話に限定されない。例えば、携帯機器は、電子手帳、ＰＤＡ（Ｐｅｒｓｏｎａｌ Ｄｉｇｉｔａｌ Ａｓｓｉｓｔａｎｔｓ）、電卓、時計、ＧＰＳ（Ｇｌｏｂａｌ Ｐｏｓｉｔｉｏｎｉｎｇ Ｓｙｓｔｅｍ：全地球位置情報システム）、ノートパソコンであってもよい。
【００３６】
フレキシブル基板３９以外を用いて、タッチパネル３０と制御基板６０との電気的な接続を確保してもよい。例えば、制御基板６０にコネクタピンを設け、タッチパネル３０の接点部３７がコネクタピンに接触するようにしてもよい。また、制御基板６０に板バネ状の切片を設け、接点部３７に切片が接触するようにしてもよい。
【００３７】
付記１
底壁部、前記底壁部上に設けられた枠状の周壁部、を含むケースと、
前記周壁部に接着された接着部、前記ケースに包囲され前記接着部よりも内側に位置した接点部、を含む感圧式のタッチパネルと、
前記接点部を介して前記タッチパネルに電気的に接続された制御基板と、
を備えた携帯機器。
付記２
前記タッチパネルは、離間しつつ対向配置された第１、第２導電性膜を含み、
前記第２導電性膜は、前記第１導電性膜が部分的に露出した切欠部を含み、
前記接点部は、前記切欠部から露出した前記第１導電性膜の部分に設けられている、付記１の携帯機器。
付記３
前記タッチパネルは、離間しつつ対向配置された第１、第２導電性膜を含み、
前記第１、第２導電性膜は、切欠部を含み、
前記制御基板は、前記接点部と接続し前記切欠部から引き出されたフレキシブル基板と接続している、付記１の携帯機器。
付記４
前記第１、第２導電性膜は、それぞれ一対の電極部を含み、
前記接点部は、前記電極部のそれぞれと導通した複数の接点部を含む、付記２又は３の携帯機器。
付記５
前記接着部は、前記タッチパネルの背面側に位置する、付記１の携帯機器。
付記６
前記タッチパネルの背面側に配置された表示パネルを備えた、付記１の携帯機器。
【符号の説明】
【００３８】
１  携帯電話
１０  本体部
２０  表示部
３０  タッチパネル
３２  第１センサ
３２ｂ、３４ｂ  ＩＴＯ膜
３４  第２センサ
３７  接点部
３８  補強板
４０  第１ケース
４４  周壁部
５０  ディスプレイ
６０  制御基板
７０  第２ケース
７２  底壁部
９０  両面テープ
【図１】
2011107989.tif 000003
【図２】
2011107989.tif 000004
【図３】
2011107989.tif 000005
【図４】
2011107989.tif 000006
【図５】
2011107989.tif 000007
【図６】
2011107989.tif 000008